【手続補正書】
【提出日】平成28年12月2日(2016.12.2)
【手続補正１】
【補正対象書類名】特許請求の範囲
【補正対象項目名】全文
【補正方法】変更
【補正の内容】
【特許請求の範囲】
【請求項１】
照明装置であって、
固体状態光源と、
前記固体状態光源が、前記固体状態光源により生成される熱量がキャリアに伝達されるように配されている前記キャリアと、
前記キャリア上に位置決めされているカバー部材であって、これにより前記固体状態光源は、熱インターフェースが前記キャリアと前記カバー部材との間に存在するように前記キャリアと前記カバー部材の光透過部との間に配されている、カバー部材と、
前記照明装置をソケットに機械的に及び電気的に接続するための前記キャリアに対して固定された位置を有する接続部と、
を有する照明装置であって、
前記キャリアは、自身のエッジ側と比較して比較的大きい前側を有し、
前記固体状態光源は、前記キャリアの前記前側に配され、
前記カバー部材は、前記照明装置の外側の一部である外面を有すると共に、前記外面の反対側にあると共に前記キャリアの前記前側と熱的に接触している内面を有し、この結果、前記熱インターフェースが形成されていて、
前記熱インターフェースが、前記固体状態光源から前記キャリアへ伝達される熱の大部分を自身を介して伝達するように配されおり、
前記カバー部材の前記光透過部は、前記固体状態光源から発された光を前記照明装置から導出する光学構造体を有する、
照明装置。
【請求項２】
前記カバー部材は、透明、半透明又は着色されている材料により形成され、前記光透過部は前記カバー部材の組み込まれている部分として形成されている、請求項１に記載の照明装置。
【請求項３】
前記カバー部材は、透明、半透明又は着色されている材料により形成され、前記光透過部は前記カバー部材とは別個の部分である、請求項１に記載の照明装置。
【請求項４】
前記光学構造体は、レンズ、光ガイド又は散乱光学部品を有する、請求項１乃至３の何れか一項に記載の照明装置。
【請求項５】
少なくとも付加的な固体状態光源及び関連する付加的な光学構造体を更に有する、請求項１乃至４の何れか一項に記載の照明装置。
【請求項６】
前記光学構造体は非対称の光度分布を提供するように設計されている、請求項１乃至５の何れか一項に記載の照明装置。
【請求項７】
前記前側の反対側にある前記キャリアの後ろ側に配されている第２の固体状態光源と、
前記キャリア上に配されている第２のカバー部材であって、これにより前記第２の光源は、前記キャリアと前記第２のカバー部材の光透過部との間に配され、この結果、第２の熱インターフェースが前記キャリアと前記第２のカバー部材との間に存在する、第２のカバー部材を更に有する請求項１乃至６の何れか一項に記載の照明装置であって、
前記第２のカバー部材は、前記照明装置の前記外側の第２の部分である第２の外面を有すると共に、前記第２の外面に対向していると共に前記キャリアの前記後ろ側と熱的に接触している第２の内面を有し、この結果、前記第２の熱インターフェースが形成されている、
照明装置。
【請求項８】
前記カバー部材及び前記第２のカバー部材は、互いに対して取り付けられると共に前記キャリアを封入している、請求項７に記載の照明装置。
【請求項９】
前記第２のカバー部材の前記光透過部は、前記第２の固体状態光源から発された光を前記照明装置から導出する第２の光学構造体を有する、請求項７又は８に記載の照明装置。
【請求項１０】
前記第２の光学構造体は、レンズ、光ガイド又は散乱光学部品を有する、請求項９に記載の照明装置。
【請求項１１】
前記光学構造体は、一様な又はＥｎｅｒｇｙＳｔａｒ（登録商標）対応の光度分布を前記照明装置に提供するように個々に適応化されている複数のレンズを有する、請求項４又は１０に記載の照明装置。
【請求項１２】
前記光学構造体は、曲率による内側の輪郭と及びポーチによる外側の輪郭とを持っている光ガイドを有している、請求項４又は１０に記載の照明装置。
【請求項１３】
前記光ガイドは、一様な又はＥｎｅｒｇｙＳｔａｒ（登録商標）対応の光度分布を前記照明装置に提供するように適応化されている、請求項１２に記載の照明装置。
【請求項１４】
前記光学構造体は前記キャリア上に設けられる散乱光学部品であり、前記散乱光学部品は、ある濃度の散乱粒子を有し、前記キャリアから突出しており、壁厚を有しており、これにより前記固体状態光源と前記散乱光学部品との間にキャビティを形成している、請求項４又は１０に記載の照明装置。
【請求項１５】
前記散乱粒子の濃度、前記キャビティ及び前記壁厚は、一様な又はＥｎｅｒｇｙＳｔａｒ（登録商標）対応の光度分布を前記照明装置に提供するのに適している、請求項１４に記載の照明装置。
【請求項１６】
前記照明装置は、ＥｎｅｒｇｙＳｔａｒ（登録商標）対応の又は一様な光度分布を提供する、１乃至１５の何れか一項に記載の照明装置。
【請求項１７】
前記カバー部材は、前記カバー部材に対して前記キャリアを位置合わせするように前記キャリアの開口を通って延在している突起を有する、請求項１乃至１６の何れか一項に記載の照明装置。
【請求項１８】
前記照明装置は、前記接続部材を通過する長手方向の軸を有し、前記キャリアは前記長手方向の軸と平行に配されている、請求項１乃至１７の何れか一項に記載の照明装置。
【請求項１９】
前記長手方向の軸と平行に位置決めされている第２の前側及び後ろ側を有する第２のキャリアであって、前記第２の前側に配されている少なくとも１つの付加的な固体状態光源を有する第２のキャリアを更に有する、請求項１８に記載の照明装置。
【請求項２０】
前記第２のキャリアは前記キャリアと平行に配されている、請求項１９に記載の照明装置。
【請求項２１】
前記第２のキャリアは前記キャリアに対して直交するように配されている、請求項１９に記載の照明装置。
【請求項２２】
前記照明装置は、前記接続部材を通過する長手方向の軸を有し、前記キャリアは、前記長手方向の軸に対して横方向に位置決めされている、請求項１乃至１７の何れか一項に記載の照明装置。
【請求項２３】
前記照明装置は、前記接続部材を通過する長手方向の軸を有し、前記キャリアは、前記長手方向の軸と一致している軸を有する円筒状である、請求項１乃至１７の何れか一項に記載の照明装置。
【請求項２４】
前記キャリアは、前記長手方向の軸と平行に位置決めされている二重螺旋形にされている表面である、請求項１８に記載の照明装置。
【請求項２５】
二重螺旋の前記表面は、前記接続部材の方向を向いている第１の端部と、前記接続部材から外方を向いている第２の端部とを有し、
前記第１の端部及び前記第２の端部における前記長手方向の軸に対して垂直な二重螺旋表面のそれぞれの配向は、１５°と３６０°との間の範囲にある角度だけ異なっている、
請求項２４に記載の照明装置。
【請求項２６】
前記それぞれの配向は、６０°と１８０°との間の範囲の角度、好ましくは約９０°、最も好ましくは約１２０°だけ異なる、請求項２５に記載の照明装置。
【請求項２７】
第２の固体状態光源を有する請求項１乃至２６の何れか一項に記載の照明装置であって、前記照明装置は、前記固体状態光源及び前記第２の固体状態光源に独立に電力を供給するための電気的な接続を有する、照明装置。
【請求項２８】
第２の固体状態光源を有する請求項１乃至２７の何れか一項に記載の照明装置であって、前記固体状態光源及び前記第２の固体状態光源を個々に制御するコントローラを有する、照明装置。